(57)【特許請求の範囲】
【請求項１】
フィルムをプラテン上をその前方のＸ方向に移動させたり、印字ヘッドが装着されたヘッドを前記プラテン上に搭載されたフィルム上をその横方向のＹ方向に走行させたりしながら、前記印字ヘッドのノズルからインクを噴射させて、フィルム上の所定部位にドット状に着弾させるプロッタにおいて、
前記プラテン上面より下方のプラテン後方に配置された給紙ローラであって、剥離紙が貼着されたロール状に巻かれたフィルムを巻き戻し可能に支持する給紙ローラと、該給紙ローラに支持されたロール状に巻かれたフィルムから巻き戻されるフィルムに適度のバックテンションを付与する給紙ローラに付設された第１トルクリミタと、該給紙ローラの下方に配置された前記フィルムを巻き掛けるテンションローラと、該テンションローラを先端に支持するアームであって、その後端が前記給紙ローラの下方に配置された回動軸に回動可能に支持されたアームと、該アームの先端を給紙ローラ方向に回動させる付勢力をアームに付与する付勢手段と、該アームの下方に配置された前記剥離紙を巻き取る剥離紙巻き取りローラと、前記回動軸周囲をアームが回動して、該アームの先端が前記給紙ローラに接近した際に、それを検知して、前記剥離紙巻き取りローラに剥離紙を一定時間巻き取る剥離紙巻き取り手段と、前記テンションローラ周囲に巻き掛けられたフィルムを前記プラテンの後方からプラテン上へと導くガイドローラと、該プラテン上に導かれたフィルムをプラテン上をＸ方向に移動させる送り手段と、該送り手段によりプラテンの前方に送り出されたフィルムを巻き取るプラテン前方に配置されたフィルム巻き取りローラと、該フィルム巻き取りローラとプラテン前面との間に垂れ下がったフィルム下端の位置が上下方向の所定範囲内にあるように、該フィルム巻き取りローラにプラテンの前方に送り出されたフィルムを適宜長さづつ断続的に巻き取るフィルム巻き取り手段と、該フィルム巻き取り手段によりフィルム巻き取りローラに巻き取るフィルムに所定値以上のテンションが加わるのを防ぐフィルム巻き取りローラに付設された第２トルクリミタと、前記フィルム巻き取りローラに並べてフィルム巻き取りローラの前方に配置された合紙ローラであって、作図がなされたフィルムに貼着するロール状に巻かれた合紙を巻き戻し可能に支持する合紙ローラとが備えられてなることを特徴とする剥離紙貼着フィルム作図用のプロッタ。
【請求項２】
前記剥離紙巻き取り手段が、前記アームの先端が前記給紙ローラに接近したことを検知する検知手段と、該検知手段によりアームが給紙ローラに接近したことを検知した際に、剥離紙巻き取りローラ駆動用のモータを一定時間回転させる第１回転手段とからなる請求項１記載の剥離紙貼着フィルム作図用のプロッタ。
【請求項３】
前記フィルム巻き取り手段が、前記フィルム巻き取りローラとプロッタ前面との間に垂れ下がったフィルム下端が所定の上端位置より下方に位置しているか否かを検知する上部フォトセンサと、そのフィルム下端が所定の下端位置より上方に位置しているか否かを検知する下部フォトセンサと、それらの上部及び下部フォトセンサにより検知した前記フィルム下端の位置情報に基づき、前記フィルム巻き取りローラ駆動用のモータを回転させたりそのモータの回転を停止させたりする第２回転手段とからなる請求項１又は２記載の剥離紙貼着フィルム作図用のプロッタ。
【発明の詳細な説明】
【０００１】
【発明の属する技術分野】
本発明は、剥離紙が作図面に貼着されたロール状に巻かれたフィルムに作図を行うためのプロッタに関する。
【０００２】
【従来の技術】
図２に示したような、フィルム１０をプラテン５０上をその前方のＸ方向に移動させたり、印字ヘッド３２が装着されたヘッド３０をプラテン５０上に搭載されたフィルム１０上をガイドレール３４に沿ってその横方向のＹ方向（図面に対して垂直な方向）に走行させたりしながら、印字ヘッド３２のノズル（図示せず）からインクを噴射させて、そのインクをフィルム１０上の所定部位にドット状に着弾させる、いわゆるペーパムービングタイプのプロッタが周知である。
このプロッタによれば、そのフィルム１０にインクのドットの寄せ集めからなる線図や文字等を描くことができる。
【０００３】
近時使用される上記のフィルム１０として、図３に示したような、そのフィルムの作図面１２が剥離紙１６により覆われてなる剥離紙貼着フィルム１８がある。
この剥離紙貼着フィルム１８は、その作図面１２がコーテング層１４から形成されている。そして、そのコーテング層１４表面に剥離紙１６が剥離可能に貼着されている。
このように、剥離紙貼着フィルムの作図面１２が剥離紙１６により覆われている理由は、そのコーテング層１４からなる作図面１２が傷ついたり汚れたりしないように保護するためである。
この剥離紙貼着フィルム１８においては、その作図面１２に作図を行った後にも、図４に示したように、コーテング層１４表面に合紙２０を貼着して、その作図面１２を合紙２０により再び覆って保護している。
その理由は、そのコーテング層１４からなる作図がなされた作図面１２が傷ついたり汚れたりしないように保護するためである。
【０００４】
【発明が解決しようとする課題】
そのために、従来は、上記の剥離紙貼着フィルムの作図面１２に作図を行う際には、そのフィルムのコーテング層１４表面に貼着された剥離紙１６をフィルム１０から手作業等により剥ぎ取り、その剥離紙１６が剥ぎ取られたフィルムの作図面１２にプロッタにより作図を行っていた。
次いで、図４に示したように、その作図がなされた後のフィルムのコーテング層１４表面に、合紙２０を手作業等により再び貼着して、そのフィルム１０の作図がなされた作図面１２を合紙２０により覆って保護していた。
そのために、その剥離紙貼着フィルムの作図面１２にプロッタにより作図を行う作業には、多大な手数と時間を要した。
【０００５】
また、剥離紙貼着フィルムの作図面１２にプロッタにより作図を行う際には、そのフィルムの作図面１２から剥離紙１６を剥ぎ取ったり、その作図がなされた後のフィルムの作図面１２を合紙２０により覆って保護したりする必要がある都合上、剥離紙貼着フィルム１８には、ロール状に長く巻かれたものを使用できずに、一定長さの定尺ものしか使用できなかった。
そのために、その剥離紙貼着フィルムの作図面１２に、プロッタにより、作図を一度に長く連続して効率良く行うことができなかった。
【０００６】
本発明は、このような課題を解消可能な、ロール状に長く巻かれた剥離紙貼着フィルムから剥離紙を連続して自動的に漸次剥ぎ取りながら、そのフィルムの作図面に作図を一度に長く連続して行ったり、その作図がなされた後のフィルムの作図面を合紙により自動的に連続して覆って保護したりできる、剥離紙貼着フィルム作図用のプロッタ（以下、プロッタという）を提供することを目的としている。
【０００７】
【課題を解決するための手段】
上記の目的を達成するために、本発明のプロッタは、フィルムをプラテン上をその前方のＸ方向に移動させたり、印字ヘッドが装着されたヘッドを前記プラテン上に搭載されたフィルム上をその横方向のＹ方向に走行させたりしながら、前記印字ヘッドのノズルからインクを噴射させて、フィルム上の所定部位にドット状に着弾させるプロッタにおいて、
前記プラテン上面より下方のプラテン後方に配置された給紙ローラであって、剥離紙が貼着されたロール状に巻かれたフィルムを巻き戻し可能に支持する給紙ローラと、該給紙ローラに支持されたロール状に巻かれたフィルムから巻き戻されるフィルムに適度のバックテンションを付与する給紙ローラに付設された第１トルクリミタと、該給紙ローラの下方に配置された前記フィルムを巻き掛けるテンションローラと、該テンションローラを先端に支持するアームであって、その後端が前記給紙ローラの下方に配置された回動軸に回動可能に支持されたアームと、該アームの先端を給紙ローラ方向に回動させる付勢力をアームに付与する付勢手段と、該アームの下方に配置された前記剥離紙を巻き取る剥離紙巻き取りローラと、前記回動軸周囲をアームが回動して、該アームの先端が前記給紙ローラに接近した際に、それを検知して、前記剥離紙巻き取りローラに剥離紙を一定時間巻き取る剥離紙巻き取り手段と、前記テンションローラ周囲に巻き掛けられたフィルムを前記プラテンの後方からプラテン上へと導くガイドローラと、該プラテン上に導かれたフィルムをプラテン上をＸ方向に移動させる送り手段と、該送り手段によりプラテンの前方に送り出されたフィルムを巻き取るプラテン前方に配置されたフィルム巻き取りローラと、該フィルム巻き取りローラとプラテン前面との間に垂れ下がったフィルム下端の位置が上下方向の所定範囲内にあるように、該フィルム巻き取りローラにプラテンの前方に送り出されたフィルムを適宜長さづつ断続的に巻き取るフィルム巻き取り手段と、該フィルム巻き取り手段によりフィルム巻き取りローラに巻き取るフィルムに所定値以上のテンションが加わるのを防ぐフィルム巻き取りローラに付設された第２トルクリミタと、前記フィルム巻き取りローラに並べてフィルム巻き取りローラの前方に配置された合紙ローラであって、作図がなされたフィルムに貼着するロール状に巻かれた合紙を巻き戻し可能に支持する合紙ローラとが備えられてなることを特徴としている。
【０００８】
このプロッタにおいては、ロール状に長く巻かれた剥離紙貼着フィルムを、給紙ローラに巻き戻し可能に支持できる。そして、その給紙ローラに支持されたロール状に巻かれた剥離紙貼着フィルムから巻き戻した剥離紙貼着フィルムをテンションローラの周囲に巻き掛けることができる。それと共に、そのテンションローラの周囲に巻き掛けられた剥離紙貼着フィルム部分よりも先方のフィルムから、剥離紙を剥ぎ取ることができる。そして、その剥離紙が剥ぎ取られたフィルムを、ガイドローラの周囲に巻き掛けて、プラテンの後方からプラテン上へと導くことができる。そして、そのプラテン上へと導いたフィルムを、プラテン上にＸ方向に向けて搭載できる。そして、そのプラテン上に搭載されたフィルムのプラテンの前方に延出した先端を、プラテン前方のフィルム巻き取りローラに巻き付けた状態とすることができる。
テンションローラ周囲に巻き掛けられた剥離紙貼着フィルム部分よりも先方のフィルムから剥ぎ取った剥離紙の先端は、テンションローラ下方の剥離紙巻き取りローラに巻き付けた状態とすることができる。
合紙ローラには、ロール状に巻かれた合紙を支持できる。そして、そのロール状に巻かれた合紙から合紙を巻き戻して、その合紙の先端をプラテン上に導いたフィルムのプラテンの前方に延出した先端に重ね合わせて、その合紙の先端をフィルムの先端と共にフィルム巻き取りローラに巻き付けた状態とすることができる。
【０００９】
次いで、プラテン上に導入された剥離紙が剥ぎ取られたフィルムを、送り手段により、Ｘ方向に移動させたり、そのフィルム上を印字ヘッドが装着されたヘッドをＹ方向に移動させたりしながら、そのフィルムの作図面に印字ヘッドからインクを噴射させて、そのインクをフィルムの作図面の所定部位にドット状に着弾させることができる。そして、そのフィルムの作図面にインクのドットの寄せ集めからなる線図や文字等を描き続けることができる。
【００１０】
その際には、プラテン上をＸ方向に移動させるフィルムの送り長さに応じて、送り手段からガイドローラ及びテンションローラの周囲に亙って巻き掛けられたフィルム部分に加わる移動力により、給紙ローラに支持された剥離紙貼着フィルムからフィルムをその作図面に貼着された剥離紙と共に漸次巻き戻し続けることができる。
それと同時に、給紙ローラに支持されたロール状に巻かれた剥離紙貼着フィルムから巻き戻されるフィルムに、給紙ローラに付設された第１トルクリミタにより、適度のバックテンションを加え続けることができる。そして、その剥離紙貼着フィルムから巻き戻されたフィルムに弛みが生じて、そのフィルムがそれが巻き掛けられたテンションローラやガイドローラの周囲から脱落するのを防ぐことができる。それと共に、その剥離紙貼着フィルムから巻き戻されたフィルムに過大なテンションが加わって、そのフィルムが長手方向に伸びて変形してしまうのを防ぐことができる。
【００１１】
また、送り手段からプラテン後方側のフィルムに加わるＸ方向のテンションにより、そのフィルムが巻き掛けられたテンションローラを先端に支持するアームが、付勢手段の付勢力を受けながら回動軸周囲を上方に回動して、そのアームの先端が給紙ローラに接近した状態となった際には、剥離紙巻き取り手段により剥離紙巻き取りローラを一定時間回転させることができる。そして、テンションローラの周囲に巻き掛けられたフィルム部分から剥離紙を剥ぎ取りながら、その剥離紙をその下方の剥離紙巻き取りローラに所定長さ巻き取ることができる。
それと同時に、アーム先端のテンションローラ周囲に巻き掛けられたフィルム部分に貼着された剥離紙に剥離紙巻き取りローラから加わる下方への巻き取り力を用いて、付勢手段の付勢力に抗して、アームを回動軸周囲を下方に回動させて、該アームをその先端のテンションローラ及び該テンションローラ周囲に巻き掛けられたフィルム部分と共に剥離紙巻き取りローラ方向に再び降下させることができる。
【００１２】
以下、上記の動作を繰り返し行いながら、送り手段によりプラテン上をＸ方向に漸次送られるフィルムの送り長さに応じて、給紙ローラに支持された剥離紙貼着フィルムを、第１トルクリミタにより適度のバックテンションを加えながら、巻き戻して、その巻き戻したフィルムを、テンションローラ及びガイドローラの周囲を通して、プラテンの後方からプラテン上へと送り込み続けることができる。
また、テンションローラの周囲に巻き掛けられたフィルム部分からは、剥離紙を漸次剥ぎ取り続けて、その剥ぎ取った剥離紙を、その下方の剥離紙巻き取りローラに一定時間づつ繰り返し断続的に巻き取り続けることができる。
【００１３】
送り手段によりプラテン前方に送り出された作図がなされたフィルムであって、プラテン前面とフィルム巻き取りローラとの間に垂れ下がったフィルムは、その垂れ下がったフィルムの下端が上下方向の所定範囲内にあるように、即ちそのフィルムが常時適宜長さ垂れ下がった状態にあるように、フィルム巻き取り手段によりフィルム巻きローラに適宜長さづつ繰り返し断続的に巻き取り続けることができる。
その際には、合紙ローラに支持されたロール状に巻かれた合紙から巻き戻して、その先端をフィルムの先端に重ね合わせて、そのフィルムの先端と共にフィルム巻き取りローラに巻き付けておいた合紙を、フィルム巻き取りローラから合紙に加わる巻き戻し力を利用して、ロール状に巻かれた合紙から繰り返し断続的に巻き戻しながら、フィルムの作図がなされた作図面に重ね合わせて、フィルム巻き取りローラにフィルムと共に繰り返し断続的に巻き取り続けることができる。そして、そのフィルム巻き取りローラに繰り返し断続的に巻き取り続けられるフィルムの作図がなされた作図面を構成しているコーテング層表面に合紙を連続して貼着できる。そして、その作図がなされたフィルムの作図面を合紙により覆って保護できる。
また、その際に、フィルム巻き取りローラに巻き取るフィルムに所定値以上のテンションが加わった場合には、第２トルクリミタにより、フィルム巻き取りローラ駆動用のモータの回転力がフィルム巻き取りローラに伝わらないように、フィルム巻き取りローラを空回転させて、フィルム巻き取りローラの回転を停止させることができる。そして、フィルム巻き取りローラに巻き取るフィルムに所定値以上のテンションが加わって、そのフィルムが長手方向に伸びて変形してしまうのを防ぐことができる。
【００１４】
本発明のプロッタにおいては、前記剥離紙巻き取り手段が、前記アームの先端が前記給紙ローラに接近したことを検知する検知手段と、該検知手段によりアームが給紙ローラに接近したことを検知した際に、剥離紙巻き取りローラ駆動用のモータを一定時間回転させる第１回転手段とからなることを好適としている。
【００１５】
このプロッタにあっては、送り手段によりフィルムがプラテン上をＸ方向に送り続けられて、アーム先端のテンションローラ周囲に巻き掛けられたフィルムがテンションローラと共に上方に引っ張り上げられ、アームの先端が給紙ローラに接近した状態となった際に、それを検知手段により検知して、第１回転手段により、剥離紙巻き取りローラ駆動用のモータを一定時間回転させることができる。そして、剥離紙を剥離紙巻き取りローラに所定長さ巻き取ることができる。
それと同時に、アーム先端のテンションローラ周囲に巻き掛けられたフィルム部分に貼着された剥離紙に剥離紙巻き取りローラから加わる下方への巻き取り力を用いて、付勢手段の付勢力に抗して、アームを回動軸周囲を下方に回動させて、該アームをその先端のテンションローラ及び該テンションローラ周囲に巻き掛けられたフィルム部分と共に剥離紙巻き取りローラ方向に再び降下させることができる。
【００１６】
また、本発明のプロッタにおいては、前記フィルム巻き取り手段が、前記フィルム巻き取りローラとプロッタ前面との間に垂れ下がったフィルム下端が所定の上端位置より下方に位置しているか否かを検知する上部フォトセンサと、そのフィルム下端が所定の下端位置より上方に位置しているか否かを検知する下部フォトセンサと、それらの上部及び下部フォトセンサにより検知した前記フィルム下端の位置情報に基づき、前記フィルム巻き取りローラ駆動用のモータを回転させたりそのモータの回転を停止させたりする第２回転手段とからなることを好適としている。
【００１７】
このプロッタにあっては、フィルム巻き取りローラとプロッタ前面との間に垂れ下がったフィルム下端が下部フォトセンサが設けらた位置より下方に抜け出た際に、それを下部フォトセンサにより検知して、第２回転手段により、フィルム巻き取りローラ駆動用のモータを回転させて、フィルム巻き取りローラとプロッタ前面との間に垂れ下がったフィルムを、フィルム巻き取りローラに巻き取ることができる。
次いで、そのフィルム巻き取りローラとプロッタ前面との間に垂れ下がったフィルムがフィルム巻き取りローラに巻き取られて、そのフィルム下端が上部フォトセンサが設けらた位置より上方に抜け出た際には、それを上部フォトセンサにより検知して、第２回転手段により、フィルム巻き取りローラ駆動用のモータの回転を停止させることができる。そして、そのフィルムをフィルム巻き取りローラに巻き取るのを停止できる。
以下、上記の動作を繰り返し断続的に行って、フィルム巻き取りローラとプロッタ前面との間に垂れ下がったフィルムの下端を、上部フォトセンサが設けらた位置と下部フォトセンサが設けられた位置との間に位置させ続けることができる。
【００１８】
【発明の実施の形態】
図１は本発明のプロッタの好適な実施の形態を示し、図１はその概略構造説明図である。以下に、このプロッタを説明する。
【００１９】
図のプロッタでは、図１に示したように、プラテン５０上面より下方のプラテン５０後方に、給紙ローラ６０が、プラテン５０と並べてＹ方向に配置されている。そして、その給紙ローラ６０に、剥離紙１６が貼着されたロール状に巻かれたフィルム１０を巻き戻し可能に支持できるように構成されている。
給紙ローラ６０には、該給紙ローラに支持されたロール状に巻かれたフィルム１０から巻き戻されるフィルム１０に適度のバックテンションを付与する第１トルクリミタ６２が付設されている。第１トルクリミタ６２は、スリップ式クラッチ機構とブレーキ機構とを併せ持っていて、給紙ローラ６０に一定値以上の回転トルクが加わった場合には、給紙ローラ６０を回転させ、給紙ローラ６０に一定値以上の回転トルクが加わらなくなった場合には、給紙ローラ６０の回転を停止させる作用をなす構造をしている。
【００２０】
給紙ローラ６０の下方には、フィルム１０を巻き掛けるテンションローラ７０が配置されて、そのテンションローラ７０がアーム７２の先端に回転自在に支持されている。
アーム７２は、その後端が給紙ローラ６０よりもプラテン５０側の給紙ローラ６０の下方に配置された回動軸７４に回動可能に支持されている。なお、アーム７２は、その後端を給紙ローラ６０よりも外側の給紙ローラ６０の下方に配置された回動軸に回動可能に支持することも、可能である。
アーム７２には、該アームの先端を給紙ローラ６０方向に回動させる付勢力をアーム７２に付与する付勢手段８０が付設されている。付勢手段８０は、アーム７０の中途部と給紙ローラ６０近くのプラテン本体（図示せず）との間に亙って張設された引っ張りコイルばね８２から構成されている。
【００２１】
アーム７２の下方には、フィルム１０から剥ぎ取った剥離紙２０を巻き取る剥離紙巻き取りローラ９０が、Ｙ方向に配置されている。
【００２２】
アーム７２の後端近くには、該アームが回動軸７４周囲を上方に回動して、該アームの先端が給紙ローラ６０に接近した際に、それを検知するリミットスイッチ等の検知手段９４が備えられている。検知手段９４には、該検知手段によりアーム７２の先端が給紙ローラ６０に接近したことを検知した際に、剥離紙巻き取りローラ駆動用のモータ９２を一定時間回転させて、剥離紙巻き取りローラ９０に剥離紙１６を一定長さ巻き取る電子回路等からなる第１回転手段９６が接続されている。検知手段９４と、第１回転手段９６とは、剥離紙巻き取り手段９８を構成している。
【００２３】
プラテン５０の後方には、テンションローラ７０周囲に巻き掛けられたフィルム１０をプラテン５０の後方からプラテン５０上へと導くガイドローラ５８が１つ以上（図では１つ）Ｙ方向に回転自在に支持されている。
【００２４】
プラテン５０には、プラテン５０上に導かれたフィルム１０をプラテン５０上をＸ方向に移動させる送り手段５２が備えられている。送り手段５２は、プラテン５０の内側空間のＹ方向に配置された駆動ローラ５４であって、その上端周囲面をプラテン５０上に露出させた駆動ローラ５４と、該駆動ローラに対向させてプラテン５０外側のＹ方向に回転自在にかつ昇降可能に支持されたピンチローラ５６とから構成されている。そして、その駆動ローラ５４とピンチローラ５６との間にフィルム１０を挟持して、駆動ローラ５４をＸ方向に回転させることにより、フィルム１０をプラテン５０上をＸ方向に移動させることができるように構成されている。
【００２５】
プラテン５０の前方には、送り手段５２によりプラテン５０の前方に送り出されたフィルム１０を巻き取るフィルム巻き取りローラ１００が、Ｙ方向に配置されている。
フィルム巻き取りローラ１００の前方には、作図がなされたフィルム１０に貼着するロール状に巻かれた合紙２０を巻き戻し可能に支持する合紙ローラ１１０が、フィルム巻き取りローラ１００と並べてＹ方向に配置されている。
【００２６】
フィルム巻き取りローラ１００には、該フィルム巻き取りローラとプラテン５０前面との間に垂れ下がったフィルム１０下端の位置が上下方向の所定範囲内にあるように、フィルム巻き取りローラ１００にプラテン５０の前方に送り出されたフィルム１０を適宜長さづつ断続的に巻き取るフィルム巻き取り手段１２０が付設されている。
フィルム巻き取り手段１２０は、フィルム巻き取りローラ１００とプラテン５０前面との間に垂れ下がったフィルム１０下端が所定の上端位置より下方に位置しているか否かを検知する一対の上部フォトセンサ１２２と、そのフィルム１０下端が所定の下端位置より上方に位置しているか否かを検知する一対の下部フォトセンサ１２４と、それらの上部及び下部フォトセンサ１２２、１２４により検知したフィルム１０下端の位置情報に基づき、フィルム巻き取りローラ駆動用のモータ１０２を回転させたりそのモータ１０２の回転を停止させたりする第２回転手段１２６とから構成されている。
そして、フィルム巻き取りローラ１００とプラテン５０前面との間に垂れ下がったフィルム１０下端が一対の下部フォトセンサ１２４が設けらた位置より下方に抜け出た際に、それを一対の下部フォトセンサ１２４により検知して、第２回転手段１２６により、フィルム巻き取りローラ駆動用のモータ１０２を回転させて、フィルム巻き取りローラ１００とプラテン５０前面との間に垂れ下がったフィルム１０を、フィルム巻き取りローラ１００に巻き取ることができるようにしている。
次いで、そのフィルム巻き取りローラ１００とプラテン５０前面との間に垂れ下がったフィルム１０がフィルム巻き取りローラ１００に巻き取られて、そのフィルム１０下端が一対の上部フォトセンサ１２２が設けらた位置より上方に抜け出た際には、それを一対の上部フォトセンサ１２２により検知して、第２回転手段１２６により、フィルム巻き取りローラ駆動用のモータ１０２の回転を停止させることができるようにしている。そして、そのフィルム１０をフィルム巻き取りローラ１００に巻き取るのを停止できるようにしている。
以下、上記の動作を繰り返し断続的に行って、フィルム巻き取りローラ１００とプラテン５０前面との間に垂れ下がったフィルム１０の下端を、一対の上部フォトセンサ１２２が設けらた位置と一対の下部フォトセンサ１２４が設けられた位置との間に常時位置させ続けることができるようにしている。
ここで、このように、フィルム１０の下端を、上下方向の所定範囲内に位置させている理由は、そのフィルム１０下端がプロッタが置かれた床面等に接して、そのフィルムの作図面１２に作成された線図や文字等が汚れるのを防ぐためである。また、そのプラテン５０の前方に送り出されたフィルム１０の弛みがなくなって、そのフィルム１０を介して、プラテン５０上をＸ方向に送られるフィルム１０がフィルム巻き取りローラ１００からの巻き取り力を受けてＸ方向に無理に引っ張られるのを防ぐためである。そして、そのフィルム１０が伸びる等して変形し、そのフィルムの作図面１２に描かれる線図や文字等に歪みが生ずるのを防ぐためである。
【００２７】
また、フィルム巻き取りローラ１００には、フィルム巻き取り手段１２０によりフィルム巻き取りローラ１００に巻き取るフィルム１０に所定値以上のテンションが加わるのを防ぐ第２トルクリミタ１０４が付設されている。第２トルクリミタ１０４は、スリップ式クラッチ機構とブレーキ機構とを併せ持っていて、フィルム巻き取りローラ１００に一定値以上の回転トルクが加わった場合に、フィルム巻き取りローラ１００を空回転させて、フィルム巻き取りローラ駆動用のモータ１０２の回転力がフィルム巻き取りローラ１００に伝わらないようにし、フィルム巻き取りローラ１００に巻き取るフィルム１０に所定値以上のテンションが加わるのを防ぐ作用をなす構造をしている。
【００２８】
その他は、図２に示したプロッタと同様に構成されている。
次に、このプロッタの使用例並びにその作用を説明する。
図１に示したように、ロール状に長く巻かれた剥離紙貼着フィルム１８を、給紙ローラ６０に巻き戻し可能に支持する。そして、その給紙ローラ６０に支持されたロール状に巻かれた剥離紙貼着フィルム１８から巻き戻した剥離紙貼着フィルム１８をテンションローラ７０の周囲に巻き掛ける。それと共に、そのテンションローラ７０の周囲に巻き掛けられた剥離紙貼着フィルム１８部分よりも先方のフィルム１０から、剥離紙１６を剥ぎ取る。そして、その剥離紙１６が剥ぎ取られたフィルム１０を、ガイドローラ５８の周囲に巻き掛けて、プラテン５０の後方からプラテン５０上へと導く。そして、そのプラテン５０上へと導いたフィルム１０を、プラテン５０上にＸ方向に向けて搭載する。そして、そのプラテン５０上に搭載されたフィルム１０のプラテン５０の前方に延出した先端を、プラテン５０前方のフィルム巻き取りローラ１００に巻き付けた状態とする。
テンションローラ７０周囲に巻き掛けられた剥離紙貼着フィルム１８部分よりも先方のフィルム１０から剥ぎ取った剥離紙１６の先端は、テンションローラ７０下方の剥離紙巻き取りローラ９０に巻き付けた状態とする。
合紙ローラ１１０には、ロール状に巻かれた合紙２０を支持する。そして、そのロール状に巻かれた合紙２０から合紙２０を巻き戻して、その合紙２０の先端をプラテン５０上へと導いたフィルム１０のプラテン５０の前方に延出した先端に重ね合わせて、その合紙２０の先端をフィルム１０の先端と共にフィルム巻き取りローラ１００に巻き付けた状態とする。
【００２９】
次いで、プラテン５０上に導いた剥離紙１６が剥ぎ取られたフィルム１０を、送り手段５２により、Ｘ方向に移動させたり、そのフィルム１０上を印字ヘッド３２が装着されたヘッド３０をＹ方向に移動させたりしながら、そのフィルムの作図面１２に印字ヘッド３２からインクを噴射させて、そのインクをフィルムの作図面１２の所定部位にドット状に着弾させる。
【００３０】
すると、その送り手段５２によりプラテン５０上をＸ方向に送り続けられるフィルムの作図面１２にインクのドットの寄せ集めからなる線図や文字等を連続して描き続けることができる。
【００３１】
その際には、プラテン５０上をＸ方向に移動させるフィルム１０の送り長さに応じて、送り手段５２からガイドローラ５８及びテンションローラ７０の周囲に亙って巻き掛けられたフィルム１０部分に加わる移動力により、給紙ローラ６０に支持された剥離紙貼着フィルム１８からフィルム１０をその作図面１２に貼着された剥離紙１６と共に漸次巻き戻し続けることができる。
それと同時に、給紙ローラ６０に支持されたロール状に巻かれた剥離紙貼着フィルム１８から巻き戻されるフィルム１０に、給紙ローラ６０に付設された第１トルクリミタ６２により、適度のバックテンションを加え続けることができる。そして、その剥離紙貼着フィルム１８から巻き戻されたフィルム１０に弛みが生じて、そのフィルム１０がそれが巻き掛けられたテンションローラ７０やガイドローラ５８の周囲から脱落するのを防ぐことができる。それと共に、その剥離紙貼着フィルム１８から巻き戻されたフィルム１０に過大なテンションが加わって、そのフィルム１０が長手方向に伸びて変形してしまうのを防ぐことができる。
【００３２】
また、図１に破線で示したように、送り手段５２からプラテン５０後方側のフィルム１０に加わるＸ方向のテンションにより、そのフィルム１０が巻き掛けられたテンションローラ７０を先端に支持するアーム７２が、付勢手段８０の付勢力を受けながら回動軸７４周囲を上方に回動して、そのアーム７２の先端が給紙ローラ６０に接近した状態となった際には、剥離紙巻き取り手段９８により剥離紙巻き取りローラ９０を一定時間回転させることができる。そして、テンションローラ７０の周囲に巻き掛けられたフィルム１０部分から剥離紙１６を剥ぎ取りながら、その剥離紙１６をその下方の剥離紙巻き取りローラ９０に巻き取り続けることができる。
それと同時に、アーム７２先端のテンションローラ７０周囲に巻き掛けられたフィルム１０部分に貼着された剥離紙１６に剥離紙巻き取りローラ９０から加わる下方への巻き取り力を用いて、付勢手段８０の付勢力に抗して、アーム７２を回動軸７４周囲を下方に回動させて、該アームをその先端のテンションローラ７０及び該テンションローラ周囲に巻き掛けられたフィルム１０部分と共に剥離紙巻き取りローラ９０方向に再び降下させることができる。
【００３３】
以下、上記の動作を繰り返し行いながら、送り手段５２によりプラテン５０上をＸ方向に漸次送られるフィルム１０の送り長さに応じて、給紙ローラ６０に支持された剥離紙貼着フィルム１８を、第１トルクリミタ６２により適度のバックテンションを加えながら、巻き戻して、その巻き戻したフィルム１０を、テンションローラ７０及びガイドローラ５８の周囲を通して、プラテン５０の後方からプラテン５０上へと送り込み続けることができる。
また、テンションローラ７０の周囲に巻き掛けられたフィルム１０部分からは、剥離紙１６を漸次剥ぎ取り続けて、その剥ぎ取った剥離紙１６を、その下方の剥離紙巻き取りローラ９０に一定時間づつ繰り返し断続的に巻き取り続けることができる。
【００３４】
送り手段５２によりプラテン５０前方に送り出された作図がなされたフィルム１０であって、プラテン５０前面とフィルム巻き取りローラ１００との間に垂れ下がったフィルム１０は、その垂れ下がったフィルム１０の下端が上下方向の所定範囲内にあるように、即ちそのフィルム１０が常時適宜長さ垂れ下がった状態にあるように、フィルム巻き取り手段１２０によりフィルム巻き取りローラ１００に適宜長さづつ繰り返し断続的に巻き取り続けることができる。
その際には、合紙ローラ１１０に支持されたロール状に巻かれた合紙２０から巻き戻して、その先端をフィルム１０の先端に重ね合わせて、そのフィルム１０の先端と共にフィルム巻き取りローラ１００に巻き付けておいた合紙２０を、フィルム巻き取りローラ１００から合紙２０に加わる巻き戻し力を利用して、ロール状に巻かれた合紙２０から繰り返し断続的に巻き戻しながら、フィルム１０の作図がなされた作図面１２に重ね合わせて、フィルム巻き取りローラ１００にフィルム１０と共に繰り返し断続的に巻き取り続けることができる。そして、そのフィルム巻き取りローラ１００に繰り返し断続的に巻き取り続けられるフィルム１０の作図がなされた作図面１２を構成しているコーテング層１４表面に合紙２０を連続して貼着できる。そして、その作図がなされたフィルムの作図面１２を合紙２０により覆って保護できる。
また、その際に、フィルム巻き取りローラ１００に巻き取るフィルム１０に所定値以上のテンションが加わった場合には、第２トルクリミタ１０４により、フィルム巻き取りローラ駆動用のモータ１０２の回転力がフィルム巻き取りローラ１００に伝わらないように、フィルム巻き取りローラ１００を空回転させて、フィルム巻き取りローラ１００の回転を停止させることができる。そして、フィルム巻き取りローラ１００に巻き取るフィルム１０に所定値以上のテンションが加わって、そのフィルム１０が長手方向に伸びて変形してしまうのを防ぐことができる。
【００３５】
【発明の効果】
以上説明したように、本発明のプロッタによれば、剥離紙貼着フィルムのフィルムから剥離紙を漸次剥ぎ取りながら、その剥離紙が剥ぎ取られたフィルムの作図面にインクのドットの寄せ集めからなる線図や文字等を一度に長く連続して描き続けることができる。
また、線図や文字が描かれたフィルムの作図面には、合紙を連続して貼着できる。そして、その線図や文字が描かれたフィルムの作図面が変質したり、その線図や文字が描かれたフィルムの作図面が傷ついたり汚れたりするのを、合紙により防ぐことができる。
【図面の簡単な説明】
【図１】本発明のプロッタの概略構造説明図である。
【図２】従来のプロッタの概略構造説明図である。
【図３】剥離紙貼着フィルムの拡大側面図である。
【図４】フィルムの作図面に合紙が貼着された状態の拡大側面図である。
【符号の説明】
１０  フィルム
１２  作図面
１４  コーテング層
１６  剥離紙
１８  剥離紙貼着フィルム
２０  合紙
３０  ヘッド
３２  印字ヘッド
５０  プラテン
５２  送り手段
５４  駆動ローラ
５６  ピンチローラ
５８  ガイドローラ
６０  給紙ローラ
６２  第１トルクリミタ
７０  テンションローラ
７２  アーム
７４  回動軸
８０  付勢手段
８２  引っ張りコイルばね
９０  剥離紙巻き取りローラ
９２  モータ
９４  検知手段
９６  第１回転手段
９８  剥離紙巻き取り手段
１００  フィルム巻き取りローラ
１０２  モータ
１０４  第２トルクリミタ
１１０  合紙ローラ
１２０  フィルム巻き取り手段
１２２  上部フォトセンサ
１２４  下部フォトセンサ
１２６  第２回転手段
【図１】
0004357695.tif 000002
【図２】
0004357695.tif 000003
【図３】
0004357695.tif 000004
【図４】
0004357695.tif 000005